(57)【要約】  【課題】小物類を取り付け可能で、ベルト通しとしても使用できる小物取り付け具を提供する。  【解決手段】本発明にかかる小物取り付け具は、衣服に設けられる少なくとも１個以上の装着部と、この装着部に着脱可能に装着される被装着具とを備えており、被装着具が、前記装着部に装着可能な被装着部と、小物類を取り付け可能な小物取り付け部と、ベルトを挿通可能なベルト挿通部とを有していることを特徴とするものである。  【選択図】図１
2006037256.tif 000002
【特許請求の範囲】
【請求項１】
衣服に設けられる少なくとも１個以上の装着部と、この装着部に着脱可能に装着される被装着具とを備えており、被装着具が、前記装着部に装着可能な被装着部と、小物類を取り付け可能な小物取り付け部と、ベルトを挿通可能なベルト挿通部とを有していることを特徴とする小物取り付け具。
【請求項２】
衣服のウエスト部に、２枚の帯布を重ね合わせて一体に縫着してなるウエストベルトが設けられており、当該ウエストベルトにおける少なくとも上端縁部の一部が縫着されないで開口しており、この開口部分が前記装着部を構成していることを特徴とする請求項１記載の小物取り付け具。
【発明の詳細な説明】
【技術分野】
【０００１】
本発明は、衣服にベルトやアクセサリーなどのファッション小物を取り付けるための小物取り付け具に関するものである。
【背景技術】
【０００２】
近年、特に若者達の間で、衣服に縫着されているベルト通しに、ファッションとしてキーホルダーや鍵の束などのアクセサリー類を取り付けたり、携帯電話、あるいは小型のペットボトルなどを取り付けたりすることが流行している(例えば特許文献１参照)。
【特許文献１】実用新案登録第３０６５１７３号公報
【発明の開示】
【発明が解決しようとする課題】
【０００３】
しかしながら、本来ベルトを挿通させるために設けられているベルト通しに、上記のような重量のある小物類をぶら下げて着用をし続けた場合、布地が傷んで切れてしまうことがあり、ベルト通しとしての本来の機能を果たすことができなくなるという不具合が生じる。
【０００４】
また、前記ベルト通しは、所定の場所に縫着されているため、小物類を取り付ける場所が限定されるので、着用者個々のファッションが画一的になってしまうという不具合もある。
【０００５】
さらに、前記ベルト通しがないデザインの衣服では、小物類をぶら下げることができずファッションが限定されるし不便である。その上、ウエスト部にベルトを巻いた場合には、ウエスト部にベルトがフィットしにくく美観に劣るという不具合もある。
【課題を解決するための手段】
【０００６】
本発明の小物取り付け具は、上記問題点に鑑みて提案されたものであって、衣服に設けられる少なくとも１個以上の装着部と、この装着部に着脱可能に装着される被装着具とを備えており、被装着具が、前記装着部に装着可能な被装着部と、小物類を取り付け可能な小物取り付け部と、ベルトを挿通可能なベルト挿通部とを有していることを特徴とするものである。
【０００７】
また、衣服のウエスト部に、２枚の帯布を重ね合わせて一体に縫着してなるウエストベルトが設けられており、当該ウエストベルトにおける少なくとも上端縁部の一部が縫着されないで開口しており、この開口部分が前記装着部を構成していてもよい。
【発明の効果】
【０００８】
本発明の小物取り付け具は、衣服に設けられる少なくとも１個以上の装着部と、この装着部に着脱可能に装着される被装着具とを備えており、被装着具が、前記装着部に装着可能な被装着部と、小物類を取り付け可能な小物取り付け部と、ベルトを挿通可能なベルト挿通部とを有しているので、衣服のウエスト部にベルト通しが予め縫着されているか否かにかかわらず、小物取り付け具を介して、アクセサリー、携帯電話、ペットボトルなどの所望の小物類を衣服にぶら下げることができる。特に、ベルト通しが予め縫着されている衣服の場合では、ベルト通しに小物をぶら下げなくてもよいのでベルト通しの損傷を防止することができる。
【０００９】
また、装着部を衣服の任意の箇所に複数設けた場合には、任意の装着部に被装着具を装着できるので、小物の取り付け位置を自由に変更することができる。したがって、個性豊かなファッションを楽しむことができるという利点もある。
【００１０】
また、被装着具がベルト挿通部を有しているので、ベルト通しとしても使用できる。したがって、予めベルト通しが縫着されていない衣服や、縫着されているベルト通しの数が不足している衣服にも、ベルト通しとしての機能をもたせることができる。その結果、より個性豊かなファッションを楽しむことができる。
【００１１】
さらに、衣服のウエスト部に、２枚の帯布を重ね合わせて一体に縫着してなるウエストベルトが設けられており、当該ウエストベルトの少なくとも上端縁部の一部が縫着されないで開口しており、この開口部分が前記装着部を構成したものでは、装着部がウエストベルトの上端縁部上に位置するため、装着部が目立ちにくい。したがって、本来の衣服のデザインやシルエットを損ねることがないという利点がある。
【発明を実施するための最良の形態】
【００１２】
以下、本発明にかかる小物取り付け具の第１の実施形態について詳細に説明する。
【００１３】
本実施形態の小物取り付け具１は、図１から図３に示すように、ズボンのウエストベルトＷに縫着される装着部２と、この装着部２に着脱可能に装着される被装着具３とを備えて構成されている。
【００１４】
被装着具３は、金属製で、図２に示すように、板部４と、板部４に対向配置される被装着部５ａ，５ｂと、板部４の上下端部から後ろ側に屈曲形成され、板部４と被装着部５ａ，５ｂとを連結する連結部６ａ，６ｂとを備えている。そして、被装着部５ａ，５ｂと板部４との間には、ベルトを挿通可能なベルト挿通部Ｓ１が形成されている。
【００１５】
装着部２は、縫着される側の衣服と同じ布地で形成された一対の布地片で構成されている。装着部２は、幅方向両端部に縫着部７を備え、幅方向中央部に被装着部５ａ，５ｂを受け止める受け部８を備えている。
【００１６】
次に、小物取り付け具１の取り付け手順について説明する。
まず、図２に示すように、複数個の装着部２をズボンのウエストベルトＷに所定間隔あけて取り付ける。具体的には、装着部２をウエストベルトＷの前方に、左右２箇所ずつ合計４箇所に配置し、ウエストベルトＷの後方に、左右２箇所に配置し、ウエストベルトＷと受け部８との間に、被装着部５ａ，５ｂを挿嵌可能な空間部Ｓ２が形成されるように、受け部８を幅方向に緩ませた状態で、縫着部７をウエストベルトＷに縫着する。
次に、被装着具３を装着部２に装着する。具体的には、被装着具３の被装着部５ａ，５ｂをウエストベルトＷの布地と受け部８との間に形成される挿入部Ｓ２に挿入させる。
そして、図３に示すように、装着部２と被装着具３との間にベルトＢを挿通させた後、他端部にアクセサリーやペットボトル、携帯電話などの小物(図示せず)が取り付けられたフックＦを連結部６ｂに取り付ける。
【００１７】
本実施形態の小物取り付け具１によれば、装着部２に被装着具３を装着させることにより、被装着具３をウエストベルトＷに取り付けることができ、この被装着具３の連結部６ｂに、例えば、アクセサリー、携帯電話、ペットボトルなどの所望の小物類を取り付けることができるので、ウエストベルトＷに予め縫着されている従来のベルト通しＣ(図３参照)に小物を取り付ける必要がなく、ベルト通しＦの損傷を防止できる。
【００１８】
また、小物取り付け具１は、装着部２がズボンのウエストベルトＷの複数箇所に縫着されているので、着用者は、好みや必要に応じて複数個の装着部２のいずれかに被装着具３を装着することにより、小物の取り付け位置を自由に変更することができるので、個性豊かなファッションを楽しむことができる。
【００１９】
また、小物取り付け具１は、装着部２と被装着具３との間にベルトＢを挿通させることができるので、ベルト通しとしても使用できる。したがって、既製のベルト通しだけでは不足である場合や、既製のベルト通しがない場合には非常に便利である。
【００２０】
なお、本実施の形態では、装着部２を一対の布地片で構成したが、この構成に限られない。すなわち、被装着部５ａ，５ｂを挿入可能であればよく、例えば、図４に示す装着部２００のように、１枚の布地片で構成されていてもよい。このような形状にすることにより、装着部をウエストベルトＷへ縫着する手間が削減できる。
【００２１】
また、装着部２，２００はいずれも、被装着具３を取り付けない場合には、図５に示すように、ペンＰなどを差し込んでペン差しとしても使用できるという利点もある。
【００２２】
また、装着部２を被装着具３に装着させる構成は、上記の構成に限られず、装着部２を被装着具３に着脱可能に装着できる構成であればよいので、例えば、装着部２が嵌合穴を備え、被装着具３が前記嵌合穴に嵌合する嵌合突起を備えた構成としてもよい。
【００２３】
次に、本発明にかかる他の実施形態の小物取り付け具１ｂについて説明する。小物取り付け具１ｂは、図８に示すように、前記実施形態とは構成の異なる装着部２０１を備えたものであり、その他の構成は小物取り付け具１と同様の構成である。したがって、装着部２０１について以下に詳述し、その他の構成については説明を省略する。
【００２４】
装着部２０１は、衣服のウエストベルトＷにおける上下端縁部の一部を開口させてなる開口部分Ｐで構成されている。この開口部分Ｐで構成される装着部２０１に被装着部３を挿入することにより、ウエストベルトＷの一部に被装着具３が取り付けられる。具体的には、図９に示すように、衣服を製造する段階において、ウエストベルトＷを構成する２枚の帯布Ｋ１，Ｋ２を中表に重ね合わせ、上下両端部を長手方向に所定間隔毎にミシンで縫着し開口部分Ｐを形成する。開口部分Ｐは、ウエストベルトＷの上下方向において同じ位置に配置されているとともに、長手方向に複数箇所設けられている。ウエストベルトＷを外表に返し、図１０に示すように、上下の開口部分Ｐの両側を上下方向に縫着して、上下に開口する挿入部Ｓ２を備えた装着部２０１を形成する。
【００２５】
このような構成では、装着部２０１がウエストベルトの上下端縁部上に位置するため、装着部２０１が目立ちにくいので、本来の衣服のデザインやシルエットを損ねることがない。したがって、被装着具３の着脱により全く印象の異なる着こなしが楽しめるという利点がある。
【００２６】
なお、装着部２，２００，２０１の取り付け箇所は、ズボンやスカートのウエスト部に限定されるものではない。例えば、図１１(ａ)に示すように、ショート丈のジャケットＪの裾部に設けてもよいし、図１１(ｂ)に示すように、女性用のワンピースＯのウエスト部分に設けてもよい。
【００２７】
また、被装着具の形状は、上記の形状に限られない。例えば、図６に示す被装着具３００のように、上側の被装着部５ｄの先端部が、下側の被装着部５ｃの先端部に重なるように形成してもよい。この被装着具３００は、被装着部５ｃ，５ｄの間に隙間がないので、図２、図４に示す装着部２，２００に装着させたときに、装着部２，２００から抜け落ちる恐れがない。
【００２８】
また、装着具の材質は、金属に限られず、小物を取り付け可能な強度を備えていれば良く、例えば、硬質の合成樹脂材料であってもよい。
【００２９】
さらに、被装着具３，３００は、図７に示すように、ベルトに通した状態で、小物を取り付けることにより、単独で使用することもできる。このようにすれば、被装着具３，３００を装着する装着部が不要となるので、より簡便に使用することができる。
【００３０】
また、被装着具３，３００の保管方法としては、図８に示すように、衣服の一部に収納用袋Ｑを縫着しておいて、その内部に収納させることが好ましい。このようにすれば、被装着具３，３００の紛失を防止することができる。
【図面の簡単な説明】
【００３１】
【図１】本発明にかかる一実施形態の小物取り付け具１の使用状態を示す説明図である。
【図２】図１における装着部２と被装着具３とを拡大して示す斜視図である。
【図３】図１における小物取り付け具１の使用状態を拡大して示す説明図である。
【図４】他の実施形態の装着部２００を示す斜視図である。
【図５】図４に示す装着部２００の他の使用例を示す斜視図である。
【図６】他の実施形態の被装着具３００を示す斜視図である。
【図７】図６に示す被装着具３００の他の使用例を示す斜視図である。
【図８】本発明にかかる他の実施形態の小物取り付け具１ｂの使用状態を拡大して示す説明図である。
【図９】図８に示す小物取り付け具１ｂの装着部２０１の形成工程を示す説明図である。
【図１０】装着部２０１の形成工程を示す説明図である。
【図１１】(ａ)図８に示す装着部２０１を備えた衣服の一例である。          (ｂ)図８に示す装着部２０１を備えた衣服の他の例である。
【図１２】被装着具３，３００を収納する収納用袋Ｑを示す斜視図である。
【符号の説明】
【００３２】
１      小物取り付け具
１ｂ    小物取り付け具
２      装着部
２００  装着部
２０１  装着部
３      被装着具
３００  被装着具
５ａ    被装着部
５ｂ    被装着部
６ｂ    連結部（小物取り付け部）
Ｓ１    ベルト挿通部
Ｗ      ウエストベルト
【図１】
2006037256.tif 000003
【図２】
2006037256.tif 000004
【図３】
2006037256.tif 000005
【図４】
2006037256.tif 000006
【図５】
2006037256.tif 000007
【図６】
2006037256.tif 000008
【図７】
2006037256.tif 000009
【図８】
2006037256.tif 000010
【図９】
2006037256.tif 000011
【図１０】
2006037256.tif 000012
【図１１】
2006037256.tif 000013
【図１２】
2006037256.tif 000014